(57)【特許請求の範囲】
【請求項１】
ネットワークデバイスのＭＩＢデータを編集するための操作パネル画像を生成する画像生成手段と、
所定の状況で、前記ＭＩＢデータの所在および構造を示すＭＩＢ構造データをＸＭＬ形式のＸＭＬＭＩＢ構造データに変換するデータ変換手段と、
前記ネットワークデバイスのＭＩＢデータを取得する手段と、
を含み、
前記画像生成手段は、前記ネットワークデバイスの識別情報を有する操作パネルデータと、前記ＸＭＬＭＩＢ構造データと、取得された前記ＭＩＢデータとに基づき、前記操作パネル画像を生成し、
前記操作パネル画像は、編集項目の表示非表示を切り替えるための画像および編集項目の表示順序を変更するための画像の少なくとも一方を含むことを特徴とするネットワークデバイス管理装置。
【請求項２】
請求項１において、
前記データ変換手段は、ユーザの要求に基づき、ユーザの定義によるグループと関連付けて前記ＭＩＢ構造データを変換し、
前記画像生成手段は、前記複数のネットワークデバイスのうちユーザの定義によるグループごとに表示および編集の少なくとも一方が可能であるように、前記操作パネル画像を生成することを特徴とするネットワークデバイス管理装置。
【請求項３】
請求項１、２のいずれかにおいて、
前記データ変換手段は、前記ネットワークデバイスの種別と関連付けて前記ＭＩＢ構造データを変換し、
前記画像生成手段は、前記複数のネットワークデバイスの種別ごとに前記ＭＩＢデータの所在をツリー形式で示すＭＩＢツリー画像を生成することを特徴とするネットワークデバイス管理装置。
【請求項４】
コンピュータにより読み取り可能なプログラムであって、
コンピュータを、
ネットワークデバイスのＭＩＢデータを編集するための操作パネル画像を生成する画像生成手段と、
所定の状況で、前記ＭＩＢデータの所在および構造を示すＭＩＢ構造データをＸＭＬ形式のＸＭＬＭＩＢ構造データに変換するデータ変換手段と、
前記ネットワークデバイスのＭＩＢデータを取得する手段として機能させ、
前記画像生成手段は、前記ネットワークデバイスの識別情報を有する操作パネルデータと、前記ＸＭＬＭＩＢ構造データと、取得された前記ＭＩＢデータとに基づき、前記操作パネル画像を生成し、
前記操作パネル画像は、編集項目の表示非表示を切り替えるための画像および編集項目の表示順序を変更するための画像の少なくとも一方を含むことを特徴とするプログラム。
【請求項５】
コンピュータにより読み取り可能なプログラムを記憶した情報記憶媒体であって、
請求項４に記載のプログラムを記憶したことを特徴とする情報記憶媒体。
【請求項６】
複数のネットワークデバイスを管理するためのネットワークデバイス管理方法であって、
ユーザに管理対象となるネットワークデバイスを選択させる工程と、
選択されたネットワークデバイスを管理するための操作パネル画像をユーザに提示可能かどうか判定する工程と、
当該操作パネル画像が提示可能な場合に当該操作パネル画像を生成し、当該操作パネル画像が提示可能でない場合に、複数のネットワークデバイスのＭＩＢデータの所在をツリー形式で示すＭＩＢツリー画像を提示してユーザに当該操作パネル画像の生成に必要となる項目を入力させる工程と、
新たなネットワークデバイスが追加された場合および前記ネットワークデバイスのＭＩＢデータが変更された場合の少なくとも一方の場合に、当該ＭＩＢデータの所在および構造を示すＭＩＢ構造データをＸＭＬ形式のＸＭＬＭＩＢ構造データに変換する工程と、
前記操作パネル画像内の表示項目の変更要求があった場合に、当該要求に応じて表示項目の表示有無および表示順序の少なくとも一方の変更をユーザに促す画像を生成する工程と、
を含み、
前記操作パネル画像を生成する際に、前記ネットワークデバイスの識別情報を有する操作パネルデータと、前記ＸＭＬＭＩＢ構造データと、前記ＭＩＢデータとに基づき、前記操作パネル画像を生成することを特徴とするネットワークデバイス管理方法。
【請求項７】
請求項６において、
前記変更をユーザに促す画像の生成に先立って、前記変更を行うための画像部品の選択をユーザに促す画像を生成することを特徴とするネットワークデバイス管理方法。
【発明の詳細な説明】
【０００１】
【発明の属する技術分野】
本発明は、ネットワークデバイス管理装置、プログラム、情報記憶媒体およびネットワークデバイス管理方法に関する。
【０００２】
【背景技術および発明が解決しようとする課題】
従来、ＭＩＢ（Ｍａｎａｇｅｍｅｎｔ  Ｉｎｆｏｒｍａｔｉｏｎ  Ｂａｓｅ）ツリーを表示してＭＩＢデータをカスタマイズさせることは行われていたが、このカスタマイズ方法はネットワークベンダーごとに異なっており、ユーザにとっては使い勝手がよくなかった。
【０００３】
なぜなら、ＭＩＢデータには、標準ＭＩＢと拡張ＭＩＢとがあり、標準ＭＩＢについては規定されているが、拡張ＭＩＢについてはネットワークベンダーによって自由に設定できるものとなっているからである。
【０００４】
また、ＭＩＢデータを編集するためには高度の知識が必要であり、ユーザはＭＩＢデータを変更したくても変更できないことが多かった。
【０００５】
さらに、ＭＩＢデータを編集するための操作パネルは、固定的なものであり、ユーザが、ＭＩＢデータの表示項目を選択したり、項目の表示順序を変更することはできなかった。
【０００６】
本発明は、上記課題に鑑みなされたものであり、その目的は、ＭＩＢデータを柔軟に編集することのできるネットワークデバイス管理装置、プログラム、情報記憶媒体およびネットワークデバイス管理方法を提供することにある。
【０００７】
【課題を解決するための手段】
上記課題を解決するため、本発明に係るネットワークデバイス管理装置は、ネットワークデバイスのＭＩＢデータを編集するための編集用画像を生成する画像生成手段と、
所定の状況で、前記ＭＩＢデータの所在および構造を示すＭＩＢ構造データをＸＭＬ形式のＸＭＬＭＩＢ構造データに変換するデータ変換手段と、
を含み、
前記画像生成手段は、前記ＸＭＬＭＩＢ構造データに基づき、前記編集用画像を生成することを特徴とする。
【０００８】
また、本発明に係るプログラムは、コンピュータにより読み取り可能なプログラムであって、
コンピュータを、
ネットワークデバイスのＭＩＢデータを編集するための編集用画像を生成する画像生成手段と、
所定の状況で、前記ＭＩＢデータの所在および構造を示すＭＩＢ構造データをＸＭＬ形式のＸＭＬＭＩＢ構造データに変換するデータ変換手段として機能させ、
前記画像生成手段は、前記ＸＭＬＭＩＢ構造データに基づき、前記編集用画像を生成することを特徴とする。
【０００９】
また、本発明に係る情報記憶媒体は、コンピュータにより読み取り可能なプログラムを記憶した情報記憶媒体であって、
上記プログラムを記憶したことを特徴とする。
【００１０】
本発明によれば、ＭＩＢ構造データをＸＭＬ形式に変換してから編集用画像を生成することにより、データの変化に柔軟に対応可能な編集用画像を生成することができる。
【００１１】
また、前記ネットワークデバイス管理装置および前記プログラムにおいて、前記編集用画像は、編集項目の表示非表示を切り替えるための画像および編集項目の表示順序を変更するための画像の少なくとも一方を含んでもよい。
【００１２】
これによれば、ユーザは、編集項目の表示非表示を切り替えたり、編集項目の表示順序を変更することができるため、自分の使いやすい編集用画像を用いることができる。
【００１３】
また、前記ネットワークデバイス管理装置、前記プログラムおよび前記情報記憶媒体において、前記データ変換手段は、ユーザの要求に基づき、ユーザの定義によるグループと関連付けて前記ＭＩＢ構造データを変換し、
前記画像生成手段は、前記複数のネットワークデバイスのうちユーザの定義によるグループごとに表示および編集の少なくとも一方が可能であるように、前記編集用画像を生成してもよい。
【００１４】
これによれば、ユーザは、自分が定義したグループごとにＭＩＢデータの表示や編集を行うことができる。これにより、ユーザは、効率よくネットワークデバイスを管理することができる。
【００１５】
また、前記ネットワークデバイス管理装置および前記プログラムにおいて、
前記データ変換手段は、前記ネットワークデバイスの種別ごとに管理できるように前記ＭＩＢ構造データを変換し、
前記編集用画像は、前記複数のネットワークデバイスの種別ごとに表示および編集の少なくとも一方が可能であってもよい。
【００１６】
これによれば、ユーザは、ネットワークデバイスの種別ごとにＭＩＢデータの表示や編集を行うことができる。これにより、ユーザは、効率よくネットワークデバイスを管理することができる。
【００１７】
また、本発明に係るネットワークデバイス管理方法は、複数のネットワークデバイスを管理するためのネットワークデバイス管理方法であって、
ユーザに管理対象となるネットワークデバイスを選択させる工程と、
選択されたネットワークデバイスを管理するための操作パネル画像を生成可能かどうか判定する工程と、
当該操作パネル画像が提示可能な場合に当該操作パネル画像を生成し、当該操作パネル画像が提示可能でない場合に、複数のネットワークデバイスのＭＩＢデータの所在をツリー形式で示すＭＩＢツリー画像を提示してユーザに当該操作パネル画像の生成に必要となる項目を入力させる工程と、
を含むことを特徴とする。
【００１８】
本発明によれば、ＭＩＢツリー画像を生成してユーザに当該操作パネル画像の生成に必要となる項目を入力させて操作パネル画像の生成に必要となるデータを収集することができる。また、ＭＩＢデータの所在をツリー形式で表示することにより、ユーザは、目的とするＭＩＢデータに容易に辿り着くことができる。
【００１９】
また、前記ネットワークデバイス管理方法は、新たなネットワークデバイスが追加された場合および前記ネットワークデバイスのＭＩＢデータが変更された場合の少なくとも一方の場合に、当該ネットワークデバイスの所在および構造を示すＭＩＢ構造データをＸＭＬ形式のＸＭＬＭＩＢ構造データに変換する工程を含んでもよい。
【００２０】
これによれば、ＸＭＬ形式に変換したＸＭＬＭＩＢ構造データを用いることにより、データの変更に柔軟に対応することができる。
【００２１】
また、前記ネットワークデバイス管理方法は、前記操作パネル画像内の表示項目の変更要求があった場合に、当該要求に応じて表示項目の表示有無および表示順序の少なくとも一方の変更をユーザに促す画像を生成する工程を含んでもよい。
【００２２】
これによれば、ユーザは、表示項目や表示順序を自分で変更できるため、自分にとって快適にＭＩＢデータの編集を行うことができる。
【００２３】
また、前記変更をユーザに促す画像の生成に先立って、前記変更を行うための画像部品の選択をユーザに促す画像を生成してもよい。
【００２４】
これによれば、ユーザは、表示項目の変更を行うための画像部品を選択できるため、自分にとって快適に表示項目の変更を行うことができる。なお、画像部品としては、例えば、リスト形式の画像部品や、テキストボックス形式の画像部品や、ボタン形式の画像部品等が該当する。
【００２５】
【発明の実施の形態】
以下、本発明を、複数のネットワークデバイスを管理するネットワークデバイスを管理装置として機能するＰＣ（Ｐｅｒｓｏｎａｌ  Ｃｏｍｐｕｔｅｒ）に適用した場合を例に採り、図面を参照しつつ説明する。
【００２６】
図１は、本実施形態の一例に係るネットワークデバイス２００とＰＣ１００の機能ブロック図である。
【００２７】
ネットワークデバイス２００は、ＭＩＢデータ２２２を記憶する記憶部２２０と、ＭＩＢデータ２２２をＰＣ１００に伝送する通信部２１０とを含んで構成されている。
【００２８】
なお、ＭＩＢデータ２２２とは、ＳＮＭＰで管理されるネットワーク機器が、自分の状態を外部に知らせるために公開するデータのことである。ＭＩＢデータ２２２は、一般的にＭＩＢ（Ｍａｎａｇｅｍｅｎｔ  Ｉｎｆｏｒｍａｔｉｏｎ  Ｂａｓｅ）と呼ばれる。
【００２９】
一方、ＰＣ１００は、ネットワークデバイス２００と通信を行う通信部１１０と、ＭＩＢ構造データ１２２等を記憶する記憶部１２０と、新たなネットワークデバイスが追加された場合や、ネットワークデバイスの仕様が変更された場合や、ＭＩＢデータ１２２が書き換えられた場合に、ＭＩＢ構造データ１２２をＸＭＬ形式のＸＭＬＭＩＢ構造データ１２４に変換するデータ変換部１３０とを含んで構成されている。
【００３０】
なお、ＭＩＢ構造データ１２２とは、ＭＩＢデータ２２２の所在と構造を示すデータのことである。
【００３１】
ＭＩＢ構造データ１２２の項目としては、例えば、項目名、データ型、データサイズ、読み書き可否、説明、リンク情報等が該当する。ＭＩＢ構造データ１２２のリンク情報は、ＭＩＢツリーにおいて１つ上位の項目名と自分の項目ＩＤを示す。
【００３２】
一方、ＸＭＬＭＩＢ構造データ１２４の項目も、ＭＩＢ構造データ１２２と同様であるが、各情報がタグで囲まれている点と、リンク情報の形式の点でＭＩＢ構造データ１２２と異なる。
【００３３】
具体的には、ＸＭＬＭＩＢ構造データ１２４のリンク情報は、例えば、＜ｐａｒｅｎｔ＞上位項目のオブジェクトＩＤ＜／ｐａｒｅｎｔ＞  ＜ｃｈｉｌｄ＞下位項目のオブジェクトＩＤ＜／ｃｈｉｌｄ＞という形式で表される。
【００３４】
このように、各情報がタグで囲まれ、かつ、上位および下位との関係が明確であることにより、ユーザによる操作パネルデータ１２６の編集結果をＸＭＬＭＩＢ構造データ１２４に反映させやすく、ネットワークデバイス２００の構成等に変更があった場合でも、ＸＭＬＭＩＢ構造データ１２４を変更しやすい。
【００３５】
また、ＰＣ１００は、記憶部１２０に記憶されたＸＭＬＭＩＢ構造データ１２４および操作パネルデータ１２６に基づき、ＸＭＬＭＩＢ構造データ１２４を編集するための編集用画像を生成する画像生成部１４０とを含んで構成されている。
【００３６】
これらの各部を実現する具体的なハードウェアとしては、例えば、通信部１１０としてはネットワークカード等、記憶部１２０としてはメモリ等、データ変換部１３０としては例えばＣＰＵ等、画像生成部１４０としては画像生成ＩＣ等を適用できる。なお、これらの各部を実現する場合、回路等を用いてハードウェア的に実現してもよいし、プログラムを用いてソフトウェア的に実現してもよい。
【００３７】
例えば、データ変換部１５０等の機能を実現するためのプログラムを情報記憶媒体１８０から読み取って上述した機能を実現してもよい。
【００３８】
情報記憶媒体１８０としては、例えば、ＣＤ−ＲＯＭ、ＤＶＤ−ＲＯＭ、ＲＯＭ、ＲＡＭ、ＨＤＤ等を適用でき、その情報の読み取り方式は接触方式であっても、非接触方式であってもよい。
【００３９】
また、情報記憶媒体１８０に代えて、上述した各機能を実現するためのプログラムを伝送路を介してホスト装置等からダウンロードすることによって上述した各機能を実現することも可能である。すなわち、上述した各機能を実現するためのプログラムは、搬送波に具現化されるものであってもよい。
【００４０】
なお、実際には、ＰＣ１００は、複数のネットワークデバイス２００と接続され、ＭＩＢ構造データ１２２、ＸＭＬＭＩＢ構造データ１２４、操作パネルデータ１２６は、各ネットワークデバイス２００に応じて設けられる。
【００４１】
次に、これらの各部を用いたＭＩＢデータ２２２の編集の流れについて説明する。
【００４２】
図２は、本実施形態の一例に係る処理の流れを示すフローチャートである。
【００４３】
例えば、新たなネットワークデバイスが追加された場合、データ変換部１３０は、ネットワークデバイス２００から取得したＭＩＢデータ２２２に基づき、ＭＩＢ構造データ１２２をＸＭＬＭＩＢ構造データ１２４に変換する（ステップＳ２）。
【００４４】
そして、画像生成部１４０は、ユーザに編集対象のネットワークデバイスを選択させるため、デバイス選択画像を生成する（ステップＳ４）。なお、当該デバイス選択画像は、ＰＣ１００と接続されたディスプレイに表示される。
【００４５】
図３は、本実施形態の一例に係るデバイス選択画像を示す図である。
【００４６】
ユーザがマウス等を用いて図３に示すポインタ３００によって所望の編集対象のネットワークデバイスを示すアイコンを選択したことを検出すると、画像生成部１４０は、当該ネットワークデバイスのＸＭＬＭＩＢ構造データ１２４に基づき、当該ネットワークデバイスのＭＩＢデータ２２２のＳｙｓＯｂｊｅｃｔＩＤを取得する（ステップＳ６）。なお、ＳｙｓＯｂｊｅｃｔＩＤとは、ネットワークデバイスの種類を表す識別情報のことである。
【００４７】
そして、画像生成部１４０は、当該ＳｙｓＯｂｊｅｃｔＩＤを有する操作パネルデータ１２６が記憶部１２０に存在するかどうかを確認する（ステップＳ８）。
【００４８】
初回であれば、当該ＳｙｓＯｂｊｅｃｔＩＤを有する操作パネルデータ１２６は存在しないため、画像生成部１４０は、当該ＳｙｓＯｂｊｅｃｔＩＤを有するＸＭＬＭＩＢ構造データ１２４に基づき、編集用画像の一種であるＭＩＢツリー画像を生成し、ディスプレイは、当該ＭＩＢツリー画像を表示する（ステップＳ１６）。
【００４９】
図４は、本実施形態の一例に係るＭＩＢツリー画像を示す図である。
【００５０】
本実施の形態では、ＸＭＬＭＩＢ構造データ１２４の生成（ステップＳ２）の際に、ネットワークデバイスの種別や、後述するユーザによって定義されたグループと関連付けてＸＭＬＭＩＢ構造データ１２４を生成している。これにより、実際には、ＭＩＢツリー画像におけるＭＩＢツリーは、ネットワークデバイスの種別ごとまたは後述するユーザによって定義されたグループごとに表示される。
【００５１】
このように、デバイスの種別ごとまたは後述するユーザによって定義されたグループごとにＭＩＢツリーを表示することにより、ユーザは目的とするＸＭＬＭＩＢ構造データ１２４を効率的に編集することができる。
【００５２】
そして、ユーザは、ＭＩＢツリーから自分が編集したい項目を選択する。
【００５３】
この選択動作を検出した場合、画像生成部１４０は、ＭＩＢ項目登録画像を生成し、ユーザにＸＭＬＭＩＢ構造データ１２４への項目の登録を促す（ステップＳ１８）。
【００５４】
図５は、本実施形態の一例に係るＭＩＢ項目登録画像を示す図である。
【００５５】
ＭＩＢ項目登録画像では、ＭＩＢ項目名、当該項目のデータ型、データサイズ、後述する操作パネル画像で操作するための画像部品の選択用画像等が表示される。
【００５６】
図５に示す例では、ユーザによって複数の項目から１つの項目を選択するラジオボタン型の画像部品が選択されている。ユーザは、画像部品としては、ラジオボタン以外にも、テキストボックス、リストボックス、コンボボックス等を選択することができる。
【００５７】
ユーザは、ＭＩＢ項目登録画像で「ＭＩＢツリーに戻る」を選択することにより、図４に示すＭＩＢツリー画像に戻って別のＭＩＢ項目の編集を行うことができる。
【００５８】
画像生成部１４０は、操作パネル画像を生成するために必要な全ての項目が登録されたかどうかを判定する（ステップＳ２０）。そして、全ての項目が登録されており、終了ではない場合（ステップＳ１４）、画像生成部１４０は、再びステップＳ４〜Ｓ８までの処理を行う。なお、項目登録（ステップＳ１８）は、必要な全ての項目が登録されるまで行われる。
【００５９】
そして、画像生成部１４０は、当該ＳｙｓＯｂｊｅｃｔＩＤを有する操作パネルデータ１２６が記憶部１２０に存在すると判定した場合（ステップＳ８）、当該ＳｙｓＯｂｊｅｃｔＩＤを有する操作パネルデータ１２６およびＭＩＢデータ２２２に基づき、編集用画像の一種である操作パネル画像を生成し、ディスプレイは、当該操作パネル画像を表示する（ステップＳ１０）。
【００６０】
図６は、本実施形態の一例に係る操作パネル画像を示す図である。
【００６１】
操作パネル画像では、表示ＭＩＢグループ、ＭＩＢデータ２２２に基づく編集可能なＭＩＢ情報等が表示される。
【００６２】
例えば、図６に示す例では、表示ＭＩＢグループは「ＭＩＢＧｒｏｕｐ１」であり、ユーザは、選択した表示ＭＩＢグループごとにＭＩＢ情報の編集を行うことができる。
【００６３】
また、図６に示すＭＩＢ情報では、管理者名、マシン名、設置場所、タッチサウンド音量等が示されている。ユーザが、変更したい項目の右横にある「変更」の欄にチェックを入れ、「変更適用」ボタンをクリックすることにより、データ変換部１３０は、ＭＩＢデータ２２２の当該項目のデータを更新する（ステップＳ１２）。さらに、通信部１１０は、当該変更を行うためのデータをネットワークデバイス２００に送信し、ネットワークデバイス２００は、ＭＩＢデータ２２２を更新する。
【００６４】
なお、図６に示すように、図５に示す画像部品の選択でタッチサウンド音量を「ラジオボタン」で選択する指定が行われたため、図６に示すタッチサウンド音量は、「ラジオボタン」で選択できるようになっている。
【００６５】
また、操作パネル画像で、ユーザが「カスタマイズ（項目変更）」をクリックしたことを検出すると、画像生成部１４０は、編集用画像の一種であるカスタマイズ画像を生成する。
【００６６】
図７は、本実施形態の一例に係るカスタマイズ画像を示す図である。
【００６７】
カスタマイズ画像は、修正項目を選択するための画像、項目名を示す画像、登録名を示す画像、操作形式（画像部品の形式）を示す画像、項目移動を行うための画像、項目の追加、変更および削除を行うための画像、ＭＩＢグループ単位での追加、変更および削除を行うための画像等を含む。
【００６８】
例えば、ユーザによって項目移動を行うための画像で、ある項目を１つ上の位置に上げる操作が行われたことを検出すると、画像生成部１４０は、１つ上にある項目と、当該項目とを入れ替えたカスタマイズ画像や、操作パネル画像等を生成する。
【００６９】
そして、一連の編集操作が終了すると（ステップＳ１４）、ネットワークデバイス２００は、変更を反映した状態で動作する。
【００７０】
以上のように、本実施の形態によれば、ＭＩＢ構造データ１２２をＸＭＬ形式に変換してから編集用画像を生成することにより、データの変化に柔軟に対応可能な編集用画像（操作パネル画像等）を生成することができる。
【００７１】
また、ＸＭＬ形式という汎用的なファイル形式に変換することにより、テキストエディタ等の一般的なファイル編集ソフトを用いてＸＭＬＭＩＢ構造データ１２４やＭＩＢデータ２２２を編集することができる。
【００７２】
また、カスタマイズ画像において、ユーザは、編集項目の表示非表示を切り替えるたり、編集項目の表示順序を変更することができるため、自分の使いやすい編集用画像を用いることができる。
【００７３】
また、操作パネル等において、ユーザは、自分が定義したグループごとにＭＩＢ情報の表示や編集を行うことができる。
【００７４】
さらに、ユーザは、ネットワークデバイスの種別ごとにＭＩＢ情報の表示や編集を行うことができる。
【００７５】
したがって、ユーザは、効率よくネットワークデバイスを管理することができる。
【００７６】
また、本実施形態によれば、ＭＩＢツリー画像を生成してユーザに操作パネル画像の生成に必要となる項目を入力させて操作パネル画像の生成に必要となるデータを収集することができる。また、ＭＩＢ情報をツリー形式で表示することにより、ユーザは、目的とするＭＩＢ情報に容易に辿り着くことができる。
【００７７】
さらに、ユーザは、表示項目の変更を行うための画像部品（リスト形式の画像部品等）を選択できるため、自分にとって快適に表示項目の変更を行うことができる。
【００７８】
以上、本発明を適用した好適な実施の形態について説明してきたが、本発明の適用は上述した実施例に限定されず、種々の変形が可能である。
【００７９】
例えば、ＭＩＢ構造データ１２２の変換後のデータ形式としては、ＸＭＬだけでなく、ＣＳＶ等の種々のデータ形式を採用できる。ただし、現時点では、構造化タグ付きのデータ形式であり、データの変更を柔軟に行えるため、ＸＭＬ形式が最も好ましい。
【００８０】
なお、上述したネットワークデバイス２００としては、具体的には、例えば、プリンタ、スキャナ、表示端末等が該当する。
【００８１】
また、本発明の機能をＰＣ１００のように単体の装置に実装するだけでなく、複数の装置に分散して実装することも可能である。
【図面の簡単な説明】
【図１】本実施形態の一例に係るネットワークデバイスとＰＣの機能ブロック図である。
【図２】本実施形態の一例に係る処理の流れを示すフローチャートである。
【図３】本実施形態の一例に係るデバイス選択画像を示す図である。
【図４】本実施形態の一例に係るＭＩＢツリー画像を示す図である。
【図５】本実施形態の一例に係るＭＩＢ項目登録画像を示す図である。
【図６】本実施形態の一例に係る操作パネル画像を示す図である。
【図７】本実施形態の一例に係るカスタマイズ画像を示す図である。
【符号の説明】
１００  ＰＣ
１１０  通信部
１２０  記憶部
１２２  ＭＩＢ構造データ
１２４  ＸＭＬＭＩＢ構造データ
１２６  操作パネルデータ
１３０  データ変換部
１４０  画像生成部
１８０  情報記憶媒体
２００  ネットワークデバイス
２２２  ＭＩＢデータ
【図１】
0003874071.tif 000002
【図２】
0003874071.tif 000003
【図３】
0003874071.tif 000004
【図４】
0003874071.tif 000005
【図５】
0003874071.tif 000006
【図６】
0003874071.tif 000007
【図７】
0003874071.tif 000008